(57)【要約】【課題】  余分な付設部材を必要とせず、簡単な手順で軒樋を取付けることができ、しかも風圧等による軒樋の変形によっても軒樋が離脱することのない軒樋吊金具を提供する。【解決手段】  軒樋吊金具１０は、軒先固定面１１と、この軒先固定面１１から前方に延設する上下２本の竿部材１２、１３とを有しており、竿部材１２、１３は、軒先からみて前方斜め下方向へ、次いで下方向へと屈曲しており、それぞれの先端部で連結部材１４によって連結されている。竿部材１２、１３は、これら先端部と連結部材１４によって誘導溝１５が形成され、この誘導溝１５に軒樋２０の前方耳部２２が嵌合係止して、竿部材１３の後方の突起片１６に軒樋２０の後方耳部２４が嵌合係止することで、軒樋吊金具１０に軒樋２０を取付ける。【選択図】図１
2008007975.tif 000002
【特許請求の範囲】
【請求項１】
軒樋の前壁面先端の前方耳部と後壁面先端の後方耳部をそれぞれ係止する軒樋吊金具であって、軒先からみて前方斜め下方向へ、次いで下方向へと屈曲する誘導溝を前端部に有しており、この誘導溝に沿って挿入された軒樋の前方耳部が上方向に抜け出ることなく嵌合係止されることを特徴とする軒樋吊金具。
【発明の詳細な説明】
【技術分野】
【０００１】
本発明は、軒樋を取付けるための軒樋吊金具に関する。
【背景技術】
【０００２】
軒樋は、一定間隔で軒先に固定された軒樋吊金具を介して取付けられている。例えば、図３に示したように、軒樋は、軒樋吊金具３０の前端突起部３１と後端角部３２に、軒樋４０の前方耳部４１と後方耳部４２を係止して軒樋４０を取付ける方法が知られている。しかし、このようにして取付けられた軒樋４０は、風による圧力で変形し、浮き上ることで、軒樋４０が軒樋吊金具３０から外れてしまう（図４）という問題があった。このため、軒樋４０の変形による浮き上りを防止する手段として、図５に例示したように、軒樋６０の変形防止部材５１を付設した軒樋吊金具５０が提案されている（例えば、特許文献１〜３、５）。また、特許文献１〜４には、軒樋吊金具の先端角部に板バネ等の弾性押付け部材を付設して、この弾性押付け部材で軒樋の前方耳部を押さえ付けることによって、軒樋の先端部が抜けることを防止することのできる軒樋吊金具も提案されてもいる。
【特許文献１】特開平５−２４８０４５号公報
【特許文献２】実開平６−００４２３１号公報
【特許文献３】特開平５−２３０９５７号公報
【特許文献４】特開２００１−１７３１７５号公報
【特許文献５】特開２０００−２１３１５２号公報
【発明の開示】
【発明が解決しようとする課題】
【０００３】
しかしながら、上記のような従来の軒樋吊金具にはいくつかの問題点があった。例えば、弾性押付け部材によって軒樋の前方耳部を押さえ付ける軒樋吊金具（特許文献１〜４）の場合には、弾性押付け部材を押し広げながら軒樋を取付けなければならず、高所における軒樋取付け作業は極めて面倒であった。また、軒樋の変形防止部材を付設した軒樋吊金具（特許文献１〜３、５、図５）の場合には、軒樋６０の水路内に棒材等の変形防止部材５１が位置するため、落葉等が堆積する原因となるなどの問題点を有してもいた。
【０００４】
さらに、前記の弾性押付け部材や変形防止部材は、軒樋吊金具とは別体として成形し、軒樋吊金具にビス等で一体化されていた。このため、部品数の増加や製造工程の煩雑化によって、軒樋吊金具の低コスト化には限界があった。
【０００５】
本発明は、以上の通りの事情に鑑みてなされたものであり、余分な付設部材を必要とせず、簡単な手順で軒樋を取付けることができ、しかも風圧等による軒樋の変形によっても軒樋が離脱することのない軒樋吊金具を提供することを課題としている。
【課題を解決するための手段】
【０００６】
本発明は、上記の課題を解決するために、軒樋の前壁面先端の前方耳部と後壁面先端の後方耳部をそれぞれ係止する軒樋吊金具であって、軒先からみて前方斜め下方向へ、次いで下方向へと屈曲する誘導溝を前端部に有しており、この誘導溝に沿って挿入された軒樋の前方耳部が上方向に抜け出ることなく嵌合係止されることを特徴としている。
【発明の効果】
【０００７】
本発明の軒樋吊金具によれば、その先端部の誘導溝に、軒樋の前方耳部が斜め下方向へ挿入され、次いで下向きに回転されて嵌合係止する。これによって、軒樋が風圧等によって押し上げられたとしても、前方耳部は軒樋吊金具の誘導溝から抜け出ることはない。軒樋の前方耳部が軒樋吊金具の誘導溝に嵌合係止するように軒樋を回転させることによって、軒樋を簡単に軒樋吊金具に取付けることができる。軒樋吊金具自体に対する操作を必要としない。
【０００８】
また、軒樋の水路内には、落葉等の堆積の原因となる余分な部材は存在しない。さらに、本発明の軒樋吊金具は、単一体として成形加工することができるため、製造は容易であり、低コスト化が可能である。
【発明を実施するための最良の形態】
【０００９】
図１は、本発明の軒樋吊金具の実施形態を示した断面図であり、軒樋吊金具１０に対して軒樋２０を取付ける過程を示す。
【００１０】
軒樋２０は、例えば、金属製薄板の両面に合成樹脂層を積層化した板材の折曲成形体であり、その前壁面２１の先端に前方耳部２２、後壁面２３の先端に後方耳部２４を有している。特に前方耳部２２は、軒樋の内側方向に折り曲げられた前壁面２１の先端に設けられている。
【００１１】
軒樋吊金具１０は、軒先固定面１１と、この軒先固定面１１から前方に延設する上下２本の竿部材１２、１３とを有している。竿部材１２、１３は、それぞれの先端部で連結部材１４によって連結されている。竿部材１２、１３は、それぞれの先端側で並行して上方向に反り返るように湾曲している。さらに、竿部材１２、１３の先端部は、軒先からみて前方斜め下方向へ、次いで下方向へと屈曲しており、これら先端部と連結部材１４によって誘導溝１５が形成される。この誘導溝１５に軒樋２０の前方耳部２２が嵌合係止される。また、竿部材１３の後方には、突起片１６が形成されており、この突起片１６に軒樋２０の後方耳部２４が嵌合係止される。なお、軒先固定面１１と竿部材１２、１３、連結部材１４は、それぞれ金属部材を溶接するなどの方法で一体化されており、表面には樹脂製塗料等が塗布されていてもよい。
【００１２】
この軒樋吊金具１０に軒樋２０を取付ける場合には、図１に例示したように、軒樋２０を斜めに保持して、その前方耳部２２を誘導溝１５の開口部に宛がい、前方耳部２２を誘導溝１５に沿って挿入する（要部断面図ａ）。次いで、図１のように軒樋２０を矢印方向に回転させることによって、その前方耳部２２は、誘導溝１５の屈曲部１７を通過し（要部断面図ｂ）、最終的に前方耳部２２の先端は連結部材１４に当接して、誘導溝１５内に嵌合係止される（要部断面ｃ）。そして、軒樋２０の後方耳部２４を突起片１６に係止させることによって、図２に示したように、軒樋吊金具１０に軒樋２０を取付けることができる。
【００１３】
以上のとおり、軒樋２０の前方耳部２２は、軒樋２０を回転させない限り、軒樋吊金具１０の誘導溝１５の屈曲部１７を通過することができない。従って、図２に示したように、軒樋２０の後方耳部２４が軒樋吊金具１０に係止された状態（すなわち、軒樋２０が回転運動できない状態）では、軒樋２０前方耳部２２は軒樋吊金具１０の誘導溝１５から上方に抜け出ることはない。またこのことによって、風圧等によっても軒樋２０が過度に変形することもない。
【００１４】
もちろん本発明は以上の例に限定されるものではなく、細部については様々な態様が可能であることは言うまでもない。
【図面の簡単な説明】
【００１５】
【図１】本発明の軒樋吊金具の実施形態を示した断面図であり、この軒樋吊金具に軒樋を取付ける過程を示す。ａ〜ｃは、その取付け過程における連続要部断面図である。
【図２】本発明の軒樋吊金具に軒樋を取付けた状態を示す断面図である。
【図３】従来の軒樋吊金具に軒樋を取付けた状態を例示した断面図である。
【図４】図３に示した軒樋が変形した状態を例示した断面図である。
【図５】軒樋の変形防止部材を備えた従来の軒樋吊金具を例示した断面図である。
【符号の説明】
【００１６】
１０軒樋吊金具
１５誘導溝
２０軒樋
２１前壁面
２２前方耳部
２３後壁面
２４後方耳部
【図１】
2008007975.tif 000003
【図２】
2008007975.tif 000004
【図３】
2008007975.tif 000005
【図４】
2008007975.tif 000006
【図５】
2008007975.tif 000007